(57)【要約】【課題】賞球払出アクチュエータの賞球払出動作と賞球検出スイッチの検出動作とのタイムラグを解消する。【解決手段】入賞球検出スイッチ３が遊技盤に設けられた入賞口１に入賞した入賞球を検出して入賞球検出信号を主制御部４に出力し、主制御部４が賞球指示を賞球払出制御部２０に出力すると、賞球払出制御部２０が賞球払出機構部３０を制御し、賞球払出機構部３０が賞球を払い出し、賞球払出機構部３０が賞球払出通路３１と賞球払出アクチュエータ３２と通路開閉部材３３および賞球検出スイッチ４０を備え、賞球検出スイッチ４０が賞球払出機構部３０の通路開閉部材３３より上流側の賞球払出通路３１に設けられたことにより、賞球検出スイッチ４０が賞球払出機構部３０より払出される直前の賞球を検出する。【選択図】図１
2005324065.tif 000002
【特許請求の範囲】
【請求項１】
入賞球検出スイッチが遊技盤に設けられた入賞口に入賞した入賞球を検出して入賞球検出信号を主制御部に出力し、主制御部が賞球指示を賞球払出制御部に出力すると、賞球払出制御部が賞球払出機構部を制御し、賞球払出機構部が賞球を払い出し、賞球払出機構部が賞球払出通路と賞球払出アクチュエータと通路開閉部材および賞球検出スイッチを備え、賞球検出スイッチが賞球払出機構部の通路開閉部材より上流側の賞球払出通路に設けられたことを特徴とするパチンコ機の賞球払出装置。
【請求項２】
遊技盤と、主制御部と、遊技盤の前面に設けられた複数の入賞口と、複数の入賞口毎に入賞した入賞球を検出して入賞球検出信号を主制御部に出力する入賞球検出スイッチまたは複数の入賞口における賞球払出数の系統毎に入賞した入賞球を検出して入賞球検出信号を主制御部に出力する複数の入賞球検出スイッチと、賞球払出制御部と、賞球払出機構部と、賞球払出機構部より払出された賞球を検出した賞球検出信号を出力する賞球検出スイッチと、賞球検出スイッチと主制御部及び賞球払出制御部とを配線で接続した中継基板とが設けられ、入賞球検出スイッチが入賞球検出信号を主制御部に出力すると、主制御部が賞球指示を賞球払出制御部に送信すると共に賞球指示に対応する賞球指示払出数を賞球払出残数として加算して記憶し、賞球払出制御部が主制御部から賞球指示を受信すると賞球指示中の賞球払出数を賞球払出残数として加算して記憶すると共に賞球払出機構部を賞球払出が開始するように電気的に制御し、賞球検出スイッチが賞球検出信号を中継基板を経由させて主制御部及び賞球払出制御部に送信し、主制御部が賞球検出スイッチから入力された賞球検出信号により賞球払出残数を減算して賞球払出機構部より払出される賞球払出数の計数管理を行い、賞球払出制御部が賞球検出スイッチから入力された賞球検出信号により賞球払出残数を減算し、賞球払出残数がゼロになると、賞球払出制御部が賞球払出機構部を賞球払出が停止するように電気的に制御し、賞球払出機構部が賞球払出通路と賞球払出アクチュエータと通路開閉部材および賞球検出スイッチを備え、賞球検出スイッチが賞球払出機構部の通路開閉部材より上流側の賞球払出通路に設けられたことを特徴とするパチンコ機の賞球払出装置。
【発明の詳細な説明】
【技術分野】
【０００１】
本発明は、遊技者の操作で発射された遊技球が遊技盤に設けられた入賞口に入賞することにより、その入賞に対応する設定数の賞球を自動的に払出す、パチンコ機の賞球払出装置に関する。
【背景技術】
【０００２】
特許第２５１９６８３号公報で開示されたパチンコ機の賞球払出装置は、遊技者の操作で発射された遊技球が遊技盤に設けられた入賞口に入賞することにより、主制御部がその入賞に対応して設定された賞球指示払出数を賞球払出制御部に出力し、賞球払出制御部がその賞球指示払出数により賞球払出機構部を電気的に制御し、賞球払出機構部が賞球を払出す。
【特許文献１】特許第２５１９６８３号公報
【発明の開示】
【発明が解決しようとする課題】
【０００３】
しかし、前記従来のパチンコ機の賞球払出装置では、賞球払出機構部より払出された賞球を検出した賞球検出信号が賞球払出制御部に入力され、賞球払出制御部が賞球検出信号を賞球払出数として計数し、その賞球払出数がその賞球払出数の発生源たる主制御部より入力された賞球指示払出数と一致すると、賞球払出制御部が賞球払出機構部の賞球払出動作を停止する。要するに、賞球払出機構部で払出される賞球払出数の計数管理が賞球払出制御部のみで行われているので、主制御部から賞球払出制御部に出力される賞球指示払出数が不正に改造された場合、賞球払出装置がその不正を察知せずに不正な賞球の払出しを継続してしまう。
【課題を解決するための手段】
【０００４】
本発明に係るパチンコ機の賞球払出装置は、入賞球検出器が遊技盤に設けられた入賞口に入賞した入賞球を検出して入賞球検出信号を主制御部に出力し、主制御部が賞球指示を賞球払出制御部に出力すると、賞球払出制御部が賞球払出機構部を制御し、賞球払出機構部が賞球を払い出し、賞球払出機構部が賞球払出通路と賞球払出アクチュエータと通路開閉部材および賞球検出スイッチを備え、賞球検出スイッチが賞球払出機構部の通路開閉部材より上流側の賞球払出通路に設けられたこと、または、遊技盤と、主制御部と、遊技盤の前面に設けられた複数の入賞口と、複数の入賞口毎に入賞した入賞球を検出して入賞球検出信号を主制御部に出力する入賞球検出スイッチまたは複数の入賞口における賞球払出数の系統毎に入賞した入賞球を検出して入賞球検出信号を主制御部に出力する複数の入賞球検出スイッチと、賞球払出制御部と、賞球払出機構部と、賞球払出機構部より払出された賞球を検出した賞球検出信号を出力する賞球検出スイッチと、賞球検出スイッチと主制御部及び賞球払出制御部とを配線で接続した中継基板とが設けられ、入賞球検出スイッチが入賞球検出信号を主制御部に出力すると、主制御部が賞球指示を賞球払出制御部に送信すると共に賞球指示に対応する賞球指示払出数を賞球払出残数として加算して記憶し、賞球払出制御部が主制御部から賞球指示を受信すると賞球指示中の賞球払出数を賞球払出残数として加算して記憶すると共に賞球払出機構部を賞球払出が開始するように電気的に制御し、賞球検出スイッチが賞球検出信号を中継基板を経由させて主制御部及び賞球払出制御部に送信し、主制御部が賞球検出スイッチから入力された賞球検出信号により賞球払出残数を減算して賞球払出機構部より払出される賞球払出数の計数管理を行い、賞球払出制御部が賞球検出スイッチから入力された賞球検出信号により賞球払出残数を減算し、賞球払出残数がゼロになると、賞球払出制御部が賞球払出機構部を賞球払出が停止するように電気的に制御し、賞球払出機構部が賞球払出通路と賞球払出アクチュエータと通路開閉部材および賞球検出スイッチを備え、賞球検出スイッチが賞球払出機構部の通路開閉部材より上流側の賞球払出通路に設けられたことを最も主要な特徴とする。
【発明の効果】
【０００５】
本発明に係るパチンコ機の賞球払出装置は、賞球検出スイッチが賞球払出機構部の通路開閉部材より上流側の賞球払出通路に設けられたことにより、賞球検出スイッチが賞球払出機構部より払出される直前の賞球を検出し、賞球払出アクチュエータの賞球払出動作と賞球検出スイッチの検出動作とのタイムラグを解消することができるという利点がある。また、賞球検出スイッチが賞球検出信号を中継基板を経由させて主制御部及び賞球払出制御部に送信すれば、賞球検出スイッチと主制御部と賞球払出制御部との配線が中継基板で整理でき、配線及び中継基板を認識するだけで、不正改造を容易に発見できるという利点がある。
【発明を実施するための最良の形態】
【０００６】
図１及び図２は本発明の一実施形態を示す。図１は賞球制御を示し、図２は遊技制御の全体を示す。図１において、１は遊技盤前面に設けられた入賞口であって、一般入賞口、始動口、可変入賞口等と呼ばれる複数種類の入賞口が複数又は単数存在するが、それらを総称した形態で１つ図示されている。２は入賞口１に入賞した入賞球である。この第１実施形態の場合、一般入賞口は１個の入賞球２が入賞する毎に１０個の賞球４７が払出される。始動口は１個の入賞球２が入賞する毎に、５個の賞球４７が払出され、遊技盤にセンター役物として設けられた液晶やLＥＤ又はＣＲＴ或いはプラズマディスプレイ等のような表示器の図柄変動遊技が始まる。但し、表示器による１回の遊技中に、始動口に入賞球２が入賞した場合は、４個のような所定数までは記憶しておき、表示器の１回の図柄変動遊技終了毎にその記憶数の範囲で、表示器による図柄変動遊技が繰り返される。表示器による１回の図柄変動遊技終了毎に停止した図柄の組合せが予め定められた組合せに一致する毎に、可変入賞口は球が入りやすい形態に開く。可変入賞口は大入賞口とも呼ばれ、１個の入賞球２が入る毎に、１５個の賞球４７が払出される。但し、可変入賞口は１回開いている間に入賞球２が１０個入るか、又は、開き始めより３０秒のような所定時間経過するかの何れか１つの条件が成立すると、可変入賞口は閉じる。これら入賞と遊技と賞球払出との関係は、パチンコ機の遊技全般を電気的に制御する主制御部４と、主制御部４からの電気的な指示により賞球払出機構部３０を電気的に制御する賞球払出制御部２０とにより制御される。
【０００７】
３は入賞球検出スイッチであって、入賞口１に入賞した入賞球２を検出する毎に入賞球検出信号を主制御部４に出力する。入賞球検出スイッチ３は、近接スイッチのようなセンサにより構成されており、入賞球２に反応してオン動作するが、入賞口１に挿入されたピアノ線には反応しにくく、不正防止を図る形態である。入賞球検出スイッチ３は賞球払出数の系統毎に設けても良いが、入賞口１のそれぞれに対応して設ければ、入賞口１に入賞した入賞球２の数と、入賞球検出信号の数との整合性が向上する。それは、賞球払出数の系統に対応して入賞球検出スイッチ３を設けた場合、入賞口１に入賞した複数の入賞球２が複数の入賞口１を賞球払出数の系統毎に区分する系統通路内を数珠繋ぎに流下し、それら連繋状態の入賞球２を１個ずつ分別検出する入賞球検出スイッチ３の動作が正確に働かず、入賞球検出スイッチ３が複数の入賞球を１個として誤検出する可能性が高い。これに対し、入賞口１毎に入賞球検出スイッチ３を設けた場合、１つの入賞口１に複数の入賞球２が同時に入賞する形態が少なく、又、１つの入賞口１に複数の入賞球２が同時に入賞しても入賞口１から入賞球検出スイッチ３までの距離を移動する間に数珠繋ぎとなることが極希であり、入賞球検出スイッチ３が入賞球２を１個ずつ正確に検出できるからである。
【０００８】
主制御部４と賞球払出制御部２０とは分別構成されて別々の場所に取付けられている。例えば、主制御部４は遊技との関係が深いので遊技盤の背面に取付けられ、賞球払出制御部２０は遊技との関係が少ないので本体枠に取付けられている。本体枠は遊技盤を交換可能に取付けるためにパチンコ店の島に固定される部品である。主制御部４が入賞球検出スイッチ３より入力された入賞球検出信号に対応する賞球指示払出数を含む識別情報であるコマンドを信号線により賞球払出制御部２０に送信し、賞球払出制御部２０が主制御部４から受信したコマンドより解読した賞球指示払出数により賞球払出機構部３０を信号線を介して電気的に制御する形態であって、主制御部４に封印回路ケース及びセキュリテイＣＰＵ等を採用することにより、不正防止対策を講じることができる。
【０００９】
賞球払出機構部３０は、賞球払出通路３１、賞球払出アクチュエータ３２、通路開閉部材３３を備える。賞球払出アクチュエータ３２は電磁ソレソイド又はステッピングモータのどちらでも使用し得るが、ステッピングモータを使用した場合はステッピングモータの駆動パルス信号を賞球検出スイッチ４０から出力される賞球検出信号として採用すれば、賞球検出スイッチ４０が省略できる。賞球検出スイッチ４０は賞球払出機構部３０より払出された賞球４７を検出する毎に賞球検出信号を主制御部４及び賞球払出制御部２０に出力する。賞球検出スイッチ４０が賞球払出機構部３０の通路開閉部材３３より上流側の賞球払出通路３１に設けられたことにより、賞球検出スイッチ４０が賞球払出機構部３０より払出される直前の賞球４７を検出し、賞球払出アクチュエータ３２の賞球払出動作と賞球検出スイッチ４０の検出動作とのタイムラグを解消することができる。
【００１０】
４１は賞球払出通路３１の上流側に接続されて賞球４７を貯蔵するタンク、４２はタンク４１への補給球の有無を確認するための補給確認スイッチ、４３は通路開閉部材３３及び賞球検出スイッチ４０の双方よりも上位において払出すべき賞球４７が準備されているかを確認するための賞球準備検出スイッチ、４４は賞球払出通路３１より払出された賞球４７を受ける上皿、４５は上皿４４より溢れた賞球４７を受ける下皿、４６は上皿４４より下皿４５に流下して溜まった賞球４７が賞球払出機構部３０内にオーバーフローすることを検出するためのオーバーフロー検出スイッチである。そして、補給確認スイッチ４２が未検出状態の時、主制御部４は補給要求をホールコンピュータに出力する。賞球準備検出スイッチ４３が検出状態及びオーバーフロー検出スイッチ４６が未検出状態の条件が同時に成立している場合に、主制御部４は賞球可能と判断して賞球払出制御部２０へ賞球許可コマンドを送出する。４８は主制御部４および賞球払出制御部２０と別体にそれらの外部に設けられた中継基板であって、賞球検出スイッチ４０の配線を分岐して主制御部４及び賞球払出制御部２０に分配するコネクタが搭載された基板である。入賞検出スイッチ３と賞球検出スイッチ４０及び賞球準備検出スイッチ４３は夫々の内部を賞球４７が１個ずつ通過するのを可動機構を介さずに直接検出可能な非接触タイプになっている。
【００１１】
この第１実施形態の場合、遊技者の操作で発射された遊技球が複数の入賞口１の何れかに入賞し、入賞検出スイッチ３が入賞球２を検出した入賞球検出信号を主制御部４に出力する。これにより、主制御部４は入賞球検出信号が複数のうちのどの入賞球検出スイッチ３より入力された信号かを判別し、その判別した入賞球検出信号に対応した賞球指示払出数を主制御部４に設定された複数の賞球指示払出数中より抽出すると共に賞球指示払出数を含むコマンドを生成して賞球払出制御部２０に出力した後、賞球指示払出数を賞球払出残数として加算して記憶する。
【００１２】
次に、賞球払出制御部２０では、主制御部４から入力したコマンドを解読してコマンド中の賞球指示払出数をコマンドデータより変換し賞球払出残数に加算すると共に賞球指示払出数に基づき賞球払出機構部３０の賞球払出アクチュエータ３２を電気的に制御する。これにより、通路開閉部材３３が賞球払出通路３１を賞球指示払出数だけ開き、賞球４７がタンク４１側より上皿４４に払出される。そして、賞球検出スイッチ４０が払出される賞球４７を検出する毎に、賞球払出数に相当する賞球検出信号が中継基板４８を経由して主制御部４及び賞球払出制御部２０に出力される。すると、主制御部４及び賞球払出制御部２０が賞球検出スイッチ４０から入力した賞球検出信号である賞球払出数により前記記憶した賞球払出残数を減算（カウントダウン）する。それから、賞球払出残数値がゼロになると、賞球払出制御部２０が賞球払出アクチュエータ３２の駆動を停止し、賞球払出アクチュエータ３２が停止して通路開閉部材３３が賞球払出通路３１を閉じ、賞球払出機構部３０による賞球払出動作が停止する。
【００１３】
図２において、主制御部４のＣＰＵ（図示せず）は、入賞球検出スイッチ３からの入賞球検出信号を配線及び入力インターフェースを介して入力すると、ＣＰＵがＲＯＭ（図示せず）に設定されたプログラムをＲＡＭ（図示せず）を処理過程の記憶手段として用いて遊技全般の遊技処理を実行し、その処理結果であるコマンドを、出力インターフェース及び配線を介して、賞球払出制御部２０、特別図柄制御部５０、表示灯制御部５１、効果音制御部５２、球発射制御部５３に一方向に出力する。主制御部４から球発射制御部５３へのコマンドは賞球払出制御部２０を経由して送信される。
【００１４】
特別図柄制御部５０のＣＰＵ（図示せず）は、主制御部４の出力インターフェースからのコマンドを配線及び入力インターフェースを介して入力すると、ＣＰＵがＲＯＭ（図示せず）に設定されたプログラムをＲＡＭ（図示せず）を処理過程の記憶手段として用いて特別図柄表示制御処理を実行し、表示器５４を出力ドライバ及び配線を介して電気的に駆動する。主制御部４より特別図柄制御部５０に入力されるコマンドの種類には、デモ表示、左図柄変動開始、中図柄変動開始、右図柄変動開始、左図柄変動停止（停止図柄指示）、中図柄変動停止（停止図柄指示）、右図柄変動停止（停止図柄指示）、大当り決定表示、大当り中表示、特定入賞口スイッチ入賞表示、大当り終了表示、カウントエラー表示、賞球エラー表示等がある。
【００１５】
表示灯制御部５１のＣＰＵ（図示せず）は、主制御部４の出力インターフェースからのコマンドを配線及び入力インターフェースを介して入力すると、ＣＰＵがＲＯＭ（図示せず）に設定されたプログラムをＲＡＭ（図示せず）を処理過程の記憶手段として用いて表示灯制御処理を実行し、パチンコ機のサイドランプやトップランプ又はランプ風車或いは賞球ランプ等の表示灯５５を出力ドライバ及び配線を介して電気的に点灯、点滅、消灯する。主制御部４より表示灯制御部５１に入力されるコマンドの種類には、デモ表示、特別図柄変動中表示、リーチ（左、中図柄一致）表示、大当り決定表示、大当り中表示、大当り終了表示、エラー表示、特定入賞口入賞表示灯点灯、特定入賞口入賞表示灯消灯、保留記憶表示灯１個表示、保留記憶表示灯２個表示、保留記憶表示灯３個表示、保留記憶表示灯４個表示、保留記憶表示灯全消灯、賞球表示灯点灯、賞球表示灯消灯、完了表示灯点灯、完了表示灯消灯等がある。上記表示灯５５としては、大当り時に点灯する大当り表示灯、賞球払出中に点灯する賞球表示灯、タンク４１（図１参照）の補給球が無くなった場合に点灯する完了表示灯、遊技の装飾効果用たるサイドランプのような第１遊技装飾効果表示灯、遊技の装飾効果用たるセンター役物ランプのような第２遊技装飾効果表示灯、遊技の装飾効果用たる可変入賞口横ランプのような第３遊技装飾効果表示灯、可変入賞口内の特定入賞口に球が入賞した場合に点灯する特定入賞口入賞表示灯、図柄始動口への入賞記憶数を４個まで表示する保留記憶表示灯等がある。
【００１６】
効果音制御部５２のＣＰＵ（図示せず）は、主制御部４の出力インターフェースからのコマンドを配線及び入力インターフェースを介して入力すると、ＣＰＵがＲＯＭ（図示せず）に設定されたプログラムをＲＡＭ（図示せず）を用いて処理過程の記憶手段として用いて効果音制御の処理を実行し、その実行結果により音源ＩＣ（図示せず）がＲＯＭ（図示せず）に設定された効果音データからの効果音信号への変換を行い、アンプ（図示せず）が上記効果音信号を増幅し、パチンコ機に設けられたスピーカ５６を配線を介して電気的に駆動する。主制御部４から効果音制御部５２に入力されるコマンドの種類には、図柄始動口入賞音、特別図柄変動中音、リーチ音、特別図柄停止音、大当り決定音、大当り中音、大当り終了音、エラー音等がある。
【００１７】
球発射制御部５３は主制御部４より賞球払出制御部２０を介して発射許可が入力された状態において遊技者が球発射機構部５７中のハンドル（図示せず）を操作することにより球発射機構部５７中の電磁ソレノイド又はステッピングモータのような球発射アクチュエータ（図示せず）をハンドルの操作量に応じて駆動するための制御を行う。５８は可変入賞口を開閉する電磁ソレノイド又はステッピングモータのような可変入賞口アクチュエータ、５９はパチンコ店に営業管理用に設置されるホールコンピュータである。ホールコンピュータ５９はパチンコ店に設置された複数のパチンコ機より情報を収集してその集計を行う。パチンコ機からホールコンピュータ５９に出力される情報の種類には、大当り情報、特別図柄作動回数情報、図柄始動ロスイッチ入賞情報、賞球情報、補給要求情報等がある。
【００１８】
要するに、この第１実施形態によれば、主制御部４が機能分割された賞球払出制御部２０へコマンドを一方向に送出するパチンコ機の賞球払出制御装置において、主制御部４が賞球指示払出数を含むコマンドを賞球払出制御部２０に送信し、このコマンドを受信した賞球払出制御部２０がコマンド中の賞球払出数に基づき賞球払出機構部３０を電気的に制御し、賞球検出スイッチ４０が賞球払出機構部３０より払出された賞球４７を検出した賞球検出信号を中継基板４８を介して主制御部４及び賞球払出制御部２０に送信する。又、主制御部４は主制御部４から賞球払出制御部２０へのコマンド送信により賞球払出残数を加算すると共に賞球検出スイッチ４０から入力された賞球払出数に相当する賞球検出信号のパルス数を賞球払出残数から減算することにより、主制御部４が賞球払出機構部３０より払出される賞球払出数の計数管理を行う。又、賞球払出制御部２０は上記主制御部４から入力されたコマンドにより賞球払出残数を加算すると共に賞球検出スイッチ４０から入力された賞球払出数に相当する賞球検出信号のパルス数を賞球払出残数から減算することにより、賞球払出制御部２０が賞球払出機構部３０より払出される賞球払出数の計数管理を行う。
【図面の簡単な説明】
【００１９】
【図１】本発明の一実施形態の賞球払出制御を示す構成図。
【図２】同一実施形態の全体の遊技制御を示す構成図。
【符号の説明】
【００２０】
１  入賞口
２  入賞球
３  入賞球検出スイッチ
４  主制御部
２０  賞球払出制御部
３０  賞球払出機構部
４０  賞球検出スイッチ
４８  中継基板
【図１】
2005324065.tif 000003
【図２】
2005324065.tif 000004